(57)【要約】【課題】コマンドファイルおよびＢＧＭプレーヤに送信する電子メールを、省サイズ化することで、スケジュールファイルおよびコマンドファイルの解析時間の短縮、および、通信時間ならびに通信コストの低減をすることが可能なＢＧＭ再生システムおよびデータ送信システムを提供する。【解決手段】各コンテンツの識別子および再生日時が記述されたスケジュールデータ２０と、スケジュール表示用データ２１とを含むスケジュールファイル１９を作成するスケジュールファイル作成手段５０と、ＢＧＭプレーヤ１６に実行させるコマンド列が記述されたコマンドデータ２３と、コマンド表示用データ２４とを含むコマンドファイル２２の内容を、電子メール２７に記述して前記ＢＧＭプレーヤ１６に送信するコマンド送信手段とを有し、前記スケジュールファイル１９のうち、前記スケジュールデータ２０のみを、前記コマンドファイル２２に組み込んで記述する。【選択図】　　　　　図９
2004145387.tif 000002
【特許請求の範囲】
【請求項１】
ネットワークに接続され、複数のコンテンツを再生可能なＢＧＭプレーヤと、
前記ネットワークに、前記ＢＧＭプレーヤと通信可能となるように接続され、前記ＢＧＭプレーヤに対して、所定のコマンドが記述された電子メールを送信するデータ送信システムとを具備し、
前記データ送信システムからの電子メールを受信した前記ＢＧＭプレーヤが、該電子メールに記述されているコマンドに基づいて所定の処理を実行するＢＧＭ再生システムにおいて、
前記データ送信システムは、
前記ＢＧＭプレーヤに実行させる複数または単数のコマンドを、該ＢＧＭプレーヤに実行させる順に並べて入力、表示および編集可能に設けられ、該コマンドの入力および編集に基づいて、該ＢＧＭプレーヤに実行させるコマンド列が記述されたコマンドデータと、入力および編集された該コマンドの表示に使用されるコマンド表示用データとを含むコマンドファイルを作成するコマンドファイル作成手段と、
該コマンドファイル作成手段によって作成されたコマンドファイルの内容を、電子メールに記述して、該電子メールを前記ＢＧＭプレーヤに送信するコマンド送信手段とを有し、
該コマンド送信手段は、前記コマンドファイルのうち、前記コマンドデータのみを、前記電子メールに記述することを特徴とするＢＧＭ再生システム。
【請求項２】
ネットワークに接続され、複数のコンテンツを再生可能なＢＧＭプレーヤと、
前記ネットワークに、前記ＢＧＭプレーヤと通信可能となるように接続され、前記ＢＧＭプレーヤに対して、所定のコマンドが記述された電子メールを送信するデータ送信システムとを具備し、
前記データ送信システムからの電子メールを受信した前記ＢＧＭプレーヤが、該電子メールに記述されているコマンドに基づいて所定の処理を実行するＢＧＭ再生システムにおいて、
前記データ送信システムは、
前記ＢＧＭプレーヤに再生させる各コンテンツの再生日時を指定するスケジュールを入力、表示および編集可能に設けられ、該スケジュールの入力および編集に基づいて、該各コンテンツの識別子および再生日時が記述されたスケジュールデータと、該スケジュールの表示に使用されるスケジュール表示用データとを含むスケジュールファイルを作成するスケジュールファイル作成手段と、
前記ＢＧＭプレーヤに実行させる複数または単数のコマンドを、該ＢＧＭプレーヤに実行させる順に並べて入力、表示および編集可能に設けられ、該コマンドの入力および編集に基づいて、該ＢＧＭプレーヤに実行させるコマンド列が記述されたコマンドデータと、入力および編集された該コマンドの表示に使用されるコマンド表示用データとを含むコマンドファイルを作成するコマンドファイル作成手段と、
該コマンドファイル作成手段によって作成されたコマンドファイルの内容を、電子メールに記述して、該電子メールを前記ＢＧＭプレーヤに送信するコマンド送信手段とを有し、
前記コマンドファイル作成手段は、前記ＢＧＭプレーヤにスケジュールを設定させるコマンドが入力された場合には、前記スケジュールファイルのうち、前記スケジュールデータのみを、前記コマンドファイルに組み込んで記述することを特徴とするＢＧＭ再生システム。
【請求項３】
前記コマンド送信手段は、前記コマンドファイルのうち、前記コマンドデータおよび前記スケジュールデータのみを、前記電子メールに記述することを特徴とする請求項２記載のＢＧＭ再生システム。
【請求項４】
前記スケジュールデータは、
前記スケジュールに入力された前記各コンテンツの識別子が記述された使用コンテンツデータと、
一日分の前記各コンテンツの再生時間を定義する、複数または単数の再生パターンデータと、
日毎に、使用する前記再生パターンデータを定義する日程データとを含むことを特徴とする請求項２または３記載のＢＧＭ再生システム。
【請求項５】
前記コマンドファイル作成手段は、前記スケジュールデータを前記コマンドファイルに組み込む際、前記使用コンテンツデータを、該使用コンテンツデータに含まれる識別子で示される前記各コンテンツを前記ＢＧＭプレーヤにダウンロードさせるコマンドに書き換えて、該コマンドを前記コマンドデータに組み込んで記述することを特徴とする請求項４記載のＢＧＭ再生システム。
【請求項６】
ネットワークに、複数のコンテンツを再生可能なＢＧＭプレーヤと通信可能となるように接続され、該ＢＧＭプレーヤに対して、所定のコマンドが記述された電子メールを送信するデータ送信システムにおいて、
前記ＢＧＭプレーヤに実行させる複数または単数のコマンドを、該ＢＧＭプレーヤに実行させる順に並べて入力、表示および編集可能に設けられ、該コマンドの入力および編集に基づいて、該ＢＧＭプレーヤに実行させるコマンド列が記述されたコマンドデータと、入力および編集された該コマンドの表示に使用されるコマンド表示用データとを含むコマンドファイルを作成するコマンドファイル作成手段と、
該コマンドファイル作成手段によって作成されたコマンドファイルの内容を、電子メールに記述して、該電子メールを前記ＢＧＭプレーヤに送信するコマンド送信手段とを有し、
該コマンド送信手段は、前記コマンドファイルのうち、前記コマンドデータのみを、前記電子メールに記述することを特徴とするデータ送信システム。
【請求項７】
ネットワークに、複数のコンテンツを再生可能なＢＧＭプレーヤと通信可能となるように接続され、該ＢＧＭプレーヤに対して、所定のコマンドが記述された電子メールを送信するデータ送信システムにおいて、
前記ＢＧＭプレーヤに再生させる各コンテンツの再生日時を指定するスケジュールを入力、表示および編集可能に設けられ、該スケジュールの入力および編集に基づいて、該各コンテンツの識別子および再生日時が記述されたスケジュールデータと、該スケジュールの表示に使用されるスケジュール表示用データとを含むスケジュールファイルを作成するスケジュールファイル作成手段と、
前記ＢＧＭプレーヤに実行させる複数または単数のコマンドを、該ＢＧＭプレーヤに実行させる順に並べて入力、表示および編集可能に設けられ、該コマンドの入力および編集に基づいて、該ＢＧＭプレーヤに実行させるコマンド列が記述されたコマンドデータと、入力および編集された該コマンドの表示に使用されるコマンド表示用データとを含むコマンドファイルを作成するコマンドファイル作成手段と、
該コマンドファイル作成手段によって作成されたコマンドファイルの内容を、電子メールに記述して、該電子メールを前記ＢＧＭプレーヤに送信するコマンド送信手段とを有し、
前記コマンドファイル作成手段は、前記ＢＧＭプレーヤにスケジュールを設定させるコマンドが入力された場合には、前記スケジュールファイルのうち、前記スケジュールデータのみを、前記コマンドファイルに組み込んで記述することを特徴とするデータ送信システム。
【請求項８】
前記コマンド送信手段は、前記コマンドファイルのうち、前記コマンドデータおよび前記スケジュールデータのみを、前記電子メールに記述することを特徴とする請求項７記載のデータ送信システム。
【請求項９】
前記スケジュールデータは、
前記スケジュールに入力された前記各コンテンツの識別子が記述された使用コンテンツデータと、
一日分の前記各コンテンツの再生時間を定義する、複数または単数の再生パターンデータと、
日毎に、使用する前記再生パターンデータを定義する日程データとを含むことを特徴とする請求項７または８記載のデータ送信システム。
【請求項１０】
前記コマンドファイル作成手段は、前記スケジュールデータを前記コマンドファイルに組み込む際、前記使用コンテンツデータを、該使用コンテンツデータに含まれる識別子で示される前記各コンテンツを前記ＢＧＭプレーヤにダウンロードさせるコマンドに書き換えて、該コマンドを前記コマンドデータに組み込んで記述することを特徴とする請求項９記載のデータ送信システム。
【発明の詳細な説明】
【０００１】
【発明の属する技術分野】
本発明は店舗等に設置されたＢＧＭプレーヤに再生させるべきコンテンツを提供するＢＧＭ再生システム、および、それに用いられるデータ送信システムに関する。
【０００２】
【従来の技術】
従来、スーパーマーケット等の店舗において、営業中に、店舗内に楽曲や画像等のコンテンツを再生するために、ＢＧＭプレーヤが用いられている。ＢＧＭプレーヤは、各店舗内に設置され、内蔵している記憶手段に記憶されている楽曲や画像等のコンテンツを再生することができる。
【０００３】
このようなＢＧＭプレーヤにおいては、再生すべきコンテンツを記録した記録媒体（ＣＤ等）を代理店が配布し、その記録媒体をＢＧＭプレーヤ本体に内蔵または接続することで、コンテンツを更新していた。
【０００４】
しかし、近年においては、コンテンツの更新は、ＣＤ等の記録媒体によらず、ＢＧＭプレーヤが、ＬＡＮやインターネットや電話回線等のネットワークを用いて、コンテンツが格納されたコンテンツ格納サーバから、コンテンツをダウンロードすることによって行う手法が確立されてきた。
【０００５】
また、代理店内に設置されたデータ送信装置から、ＢＧＭプレーヤに対してコマンドが記述された電子メールを送信することにより、ＢＧＭプレーヤを、コンテンツが格納されたサーバに接続させてコンテンツをダウンロードさせるＢＧＭ再生システムも提案されている（特許文献１第１５図参照）。
これによると、インターネット等の既存のインフラストラクチャーを用いて、電子メールを送信するのみで、複数のＢＧＭプレーヤを制御することができるので、ＢＧＭ再生システムの構築、運営および管理を、安価かつ容易にできるとしている。
【０００６】
特許文献１に記載されたＢＧＭ再生システムにおいて、ＢＧＭプレーヤに各コンテンツの再生日時を指定するスケジュールを、スケジュール作成系クライアントが作成し、電子メール作成系クライアントが、そのスケジュールを電子メールに記述して、送信系クライアントがその電子メールをＢＧＭプレーヤに送信することで、ＢＧＭプレーヤにスケジュールを設定させる構成が提案されている（特許文献１第１２図、段落００５０−００５１参照）。
【０００７】
ここで、各クライアントを、それぞれ独立したコンピュータで実現すると、スケジュール作成とコマンド作成のそれぞれの作業を、別の操作者が並行して行うことができ、効率よく作業を行うことができるとしている。
【０００８】
【特許文献１】
特開２００１−２８２６８９号公報（第１５図、第１２図、段落００５０−００５１）
【０００９】
【発明が解決しようとする課題】
特許文献１の第１２図および段落００５０−００５１に記載されているような、スケジュール作成系クライアントや電子メール作成系クライアント等を備えた従来のデータ送信装置（データ送信システム）においては、スケジュール作成系クライアントによって作成されたスケジュールを、電子メール作成系クライアントが電子メールに記述する際、電子メール作成系クライアントは、スケジュール作成系クライアントが作成したスケジュールファイルを、そのまま電子メール上にコピーして記述している。
【００１０】
しかしながら、スケジュール作成系クライアントが作成するスケジュールファイル内には、スケジュールの入力および編集の過程で、画面の表示に使用されるデータ等も記述されている。そのため、スケジュールファイルのデータサイズが大きく、送信系クライアントおよびＢＧＭプレーヤにスケジュールファイルを送信する際に、通信時間および通信コストがかさんだり、ＢＧＭプレーヤでスケジュールファイルを読む際に、スケジュールファイルのオープンおよびデータの解析に無駄な処理時間が掛かったりするといった課題がある。
【００１１】
また、データ送信装置（システム）において、ＢＧＭプレーヤに送信するコマンドを作成してＢＧＭプレーヤに送信する際、コマンドの入力および編集に基づいて作成されたコマンドが記述されたファイル（コマンドファイル）には、コマンドの入力および編集の過程で、画面の表示に使用されるデータ等も記述されている。そのため、コマンドファイルのデータサイズが大きく、ＢＧＭプレーヤでコマンドファイルを読む際に、コマンドファイルのオープンおよびデータの解析に無駄な処理時間が掛かったり、ＢＧＭプレーヤにコマンドファイルを送信する際に、通信時間および通信コストがかさんだりするといった課題がある。
【００１２】
本発明は上記課題を解決すべくなされ、その目的とするところは、コマンドファイルおよびＢＧＭプレーヤに送信する電子メールを、省サイズ化することで、スケジュールファイルおよびコマンドファイルの解析時間の短縮、および、通信時間ならびに通信コストの低減をすることが可能なＢＧＭ再生システムおよびデータ送信システムを提供することにある。
【００１３】
【課題を解決するための手段】
本発明に係るＢＧＭ再生システムは、上記課題を解決するために、以下の構成を備える。すなわち、ネットワークに接続され、複数のコンテンツを再生可能なＢＧＭプレーヤと、前記ネットワークに、前記ＢＧＭプレーヤと通信可能となるように接続され、前記ＢＧＭプレーヤに対して、所定のコマンドが記述された電子メールを送信するデータ送信システムとを具備し、前記データ送信システムからの電子メールを受信した前記ＢＧＭプレーヤが、該電子メールに記述されているコマンドに基づいて所定の処理を実行するＢＧＭ再生システムにおいて、前記データ送信システムは、前記ＢＧＭプレーヤに実行させる複数または単数のコマンドを、該ＢＧＭプレーヤに実行させる順に並べて入力、表示および編集可能に設けられ、該コマンドの入力および編集に基づいて、該ＢＧＭプレーヤに実行させるコマンド列が記述されたコマンドデータと、入力および編集された該コマンドの表示に使用されるコマンド表示用データとを含むコマンドファイルを作成するコマンドファイル作成手段と、該コマンドファイル作成手段によって作成されたコマンドファイルの内容を、電子メールに記述して、該電子メールを前記ＢＧＭプレーヤに送信するコマンド送信手段とを有し、該コマンド送信手段は、前記コマンドファイルのうち、前記コマンドデータのみを、前記電子メールに記述することを特徴とする。
これによれば、コマンドファイル作成手段が作成したコマンドファイルのうち、コマンド列が記述されたコマンドデータのみを電子メールに記述するため、電子メールに記述されるデータのサイズを小さくすることができ、ＢＧＭプレーヤによる電子メールの解析時間の短縮、および、電子メールの通信時間ならびに通信コストの低減をすることが可能となる。
【００１４】
また、ネットワークに接続され、複数のコンテンツを再生可能なＢＧＭプレーヤと、前記ネットワークに、前記ＢＧＭプレーヤと通信可能となるように接続され、前記ＢＧＭプレーヤに対して、所定のコマンドが記述された電子メールを送信するデータ送信システムとを具備し、前記データ送信システムからの電子メールを受信した前記ＢＧＭプレーヤが、該電子メールに記述されているコマンドに基づいて所定の処理を実行するＢＧＭ再生システムにおいて、前記データ送信システムは、前記ＢＧＭプレーヤに再生させる各コンテンツの再生日時を指定するスケジュールを入力、表示および編集可能に設けられ、該スケジュールの入力および編集に基づいて、該各コンテンツの識別子および再生日時が記述されたスケジュールデータと、該スケジュールの表示に使用されるスケジュール表示用データとを含むスケジュールファイルを作成するスケジュールファイル作成手段と、前記ＢＧＭプレーヤに実行させる複数または単数のコマンドを、該ＢＧＭプレーヤに実行させる順に並べて入力、表示および編集可能に設けられ、該コマンドの入力および編集に基づいて、該ＢＧＭプレーヤに実行させるコマンド列が記述されたコマンドデータと、入力および編集された該コマンドの表示に使用されるコマンド表示用データとを含むコマンドファイルを作成するコマンドファイル作成手段と、該コマンドファイル作成手段によって作成されたコマンドファイルの内容を、電子メールに記述して、該電子メールを前記ＢＧＭプレーヤに送信するコマンド送信手段とを有し、前記コマンドファイル作成手段は、前記ＢＧＭプレーヤにスケジュールを設定させるコマンドが入力された場合には、前記スケジュールファイルのうち、前記スケジュールデータのみを、前記コマンドファイルに組み込んで記述することを特徴とする。
これによれば、スケジュールファイル作成手段が作成したスケジュールのうち、各コンテンツの識別子および再生日時が記述されたスケジュールデータのみをコマンドファイルに組み込むため、コマンドファイルを省サイズ化でき、コマンドファイルの解析時間の短縮、および、コマンドファイルの通信時間ならびに通信コストの低減をすることが可能となる。
【００１５】
さらに、前記コマンド送信手段は、前記コマンドファイルのうち、前記コマンドデータおよび前記スケジュールデータのみを、前記電子メールに記述することを特徴とする。
これによれば、コマンドファイル作成手段が作成したコマンドファイルのうち、コマンド列が記述されたコマンドデータのみを電子メールに記述するため、電子メールに記述されるデータのサイズを小さくすることができ、ＢＧＭプレーヤによる電子メールの解析時間の短縮、および、電子メールの通信時間ならびに通信コストの低減をすることが可能となる。
【００１６】
また、前記スケジュールデータは、前記スケジュールに入力された前記各コンテンツの識別子が記述された使用コンテンツデータと、一日分の前記各コンテンツの再生時間を定義する、複数または単数の再生パターンデータと、日毎に、使用する前記再生パターンデータを定義する日程データとを含むことを特徴とする。
これによれば、各日の再生パターンを、一日分の再生パターンを定義するパターンデータによって表現でき、スケジュールデータが冗長とならない。また、使用されるコンテンツは、使用コンテンツデータに纏められて記述されるため、同一のコンテンツの識別子が複数記述されるのを防ぐことができ、データが冗長とならない。
【００１７】
さらに、前記コマンドファイル作成手段は、前記スケジュールデータを前記コマンドファイルに組み込む際、前記使用コンテンツデータを、該使用コンテンツデータに含まれる識別子で示される前記各コンテンツを前記ＢＧＭプレーヤにダウンロードさせるコマンドに書き換えて、該コマンドを前記コマンドデータに組み込んで記述することを特徴とする。
これによれば、ＢＧＭプレーヤは、スケジュールデータで使用されるコンテンツを、コマンドに従ってダウンロードするだけでよく、スケジュールデータ内の使用コンテンツデータから各コンテンツの識別子を抽出して、使用コンテンツをダウンロードするなどの解析処理を行う必要がなく、ＢＧＭプレーヤのスケジュールデータの解析ルーチンを簡潔に構成することができる。
【００１８】
また、本発明に係るデータ送信システムは、上記課題を解決するために、以下の構成を備える。すなわち、ネットワークに、複数のコンテンツを再生可能なＢＧＭプレーヤと通信可能となるように接続され、該ＢＧＭプレーヤに対して、所定のコマンドが記述された電子メールを送信するデータ送信システムにおいて、前記ＢＧＭプレーヤに実行させる複数または単数のコマンドを、該ＢＧＭプレーヤに実行させる順に並べて入力、表示および編集可能に設けられ、該コマンドの入力および編集に基づいて、該ＢＧＭプレーヤに実行させるコマンド列が記述されたコマンドデータと、入力および編集された該コマンドの表示に使用されるコマンド表示用データとを含むコマンドファイルを作成するコマンドファイル作成手段と、該コマンドファイル作成手段によって作成されたコマンドファイルの内容を、電子メールに記述して、該電子メールを前記ＢＧＭプレーヤに送信するコマンド送信手段とを有し、該コマンド送信手段は、前記コマンドファイルのうち、前記コマンドデータのみを、前記電子メールに記述することを特徴とする。
これによれば、コマンドファイル作成手段が作成したコマンドファイルのうち、コマンド列が記述されたコマンドデータのみを電子メールに記述するため、電子メールに記述されるデータのサイズを小さくすることができ、ＢＧＭプレーヤによる電子メールの解析時間の短縮、および、電子メールの通信時間ならびに通信コストの低減をすることが可能となる。
【００１９】
また、ネットワークに、複数のコンテンツを再生可能なＢＧＭプレーヤと通信可能となるように接続され、該ＢＧＭプレーヤに対して、所定のコマンドが記述された電子メールを送信するデータ送信システムにおいて、前記ＢＧＭプレーヤに再生させる各コンテンツの再生日時を指定するスケジュールを入力、表示および編集可能に設けられ、該スケジュールの入力および編集に基づいて、該各コンテンツの識別子および再生日時が記述されたスケジュールデータと、該スケジュールの表示に使用されるスケジュール表示用データとを含むスケジュールファイルを作成するスケジュールファイル作成手段と、前記ＢＧＭプレーヤに実行させる複数または単数のコマンドを、該ＢＧＭプレーヤに実行させる順に並べて入力、表示および編集可能に設けられ、該コマンドの入力および編集に基づいて、該ＢＧＭプレーヤに実行させるコマンド列が記述されたコマンドデータと、入力および編集された該コマンドの表示に使用されるコマンド表示用データとを含むコマンドファイルを作成するコマンドファイル作成手段と、該コマンドファイル作成手段によって作成されたコマンドファイルの内容を、電子メールに記述して、該電子メールを前記ＢＧＭプレーヤに送信するコマンド送信手段とを有し、前記コマンドファイル作成手段は、前記ＢＧＭプレーヤにスケジュールを設定させるコマンドが入力された場合には、前記スケジュールファイルのうち、前記スケジュールデータのみを、前記コマンドファイルに組み込んで記述することを特徴とする。
これによれば、スケジュールファイル作成手段が作成したスケジュールのうち、各コンテンツの識別子および再生日時が記述されたスケジュールデータのみをコマンドファイルに組み込むため、コマンドファイルを省サイズ化でき、コマンドファイルの解析時間の短縮、および、コマンドファイルの通信時間ならびに通信コストの低減をすることが可能となる。
【００２０】
さらに、前記コマンド送信手段は、前記コマンドファイルのうち、前記コマンドデータおよび前記スケジュールデータのみを、前記電子メールに記述することを特徴とする。
これによれば、コマンドファイル作成手段が作成したコマンドファイルのうち、コマンド列が記述されたコマンドデータのみを電子メールに記述するため、電子メールに記述されるデータのサイズを小さくすることができ、ＢＧＭプレーヤによる電子メールの解析時間の短縮、および、電子メールの通信時間ならびに通信コストの低減をすることが可能となる。
【００２１】
また、前記スケジュールデータは、前記スケジュールに入力された前記各コンテンツの識別子が記述された使用コンテンツデータと、一日分の前記各コンテンツの再生時間を定義する、複数または単数の再生パターンデータと、日毎に、使用する前記再生パターンデータを定義する日程データとを含むことを特徴とする。
これによれば、各日の再生パターンを、一日分の再生パターンを定義するパターンデータによって表現でき、スケジュールデータが冗長とならない。また、使用されるコンテンツは、使用コンテンツデータに纏められて記述されるため、同一のコンテンツの識別子が複数記述されるのを防ぐことができ、データが冗長とならない。
【００２２】
さらに、前記コマンドファイル作成手段は、前記スケジュールデータを前記コマンドファイルに組み込む際、前記使用コンテンツデータを、該使用コンテンツデータに含まれる識別子で示される前記各コンテンツを前記ＢＧＭプレーヤにダウンロードさせるコマンドに書き換えて、該コマンドを前記コマンドデータに組み込んで記述することを特徴とする。
これによれば、ＢＧＭプレーヤは、スケジュールデータで使用されるコンテンツを、コマンドに従ってダウンロードするだけでよく、スケジュールデータ内の使用コンテンツデータから各コンテンツの識別子を抽出して、使用コンテンツをダウンロードするなどの解析処理を行う必要がなく、ＢＧＭプレーヤのスケジュールデータの解析ルーチンを簡潔に構成することができる。
【００２３】
【発明の実施の形態】
以下、本発明に係るＢＧＭ再生システムおよびデータ送信システムの好適な実施の形態を、添付図面に基づいて詳細に説明する。
【００２４】
まず、本明細書中の用語の説明をする。
コンテンツの識別子とは、コンテンツが蓄積されたコンテンツ格納サーバ２８の名称と、ＢＧＭプレーヤ１６に配信されるべきコンテンツまでの格納パス等、各コンテンツに固有の、コンテンツを特定するためのデータのことをいう。
【００２５】
ＢＧＭ再生システム１０の概要について図１を用いて説明する。
ＢＧＭ再生システム１０の構成には、スーパーマーケットやデパート等の店舗２と、店舗２にコンテンツを提供し、またＢＧＭプレーヤ１６の保守作業等を行なう代理店４と、代理店４にコンテンツを提供するキー局６が含まれている。
【００２６】
キー局６内には、コンテンツ作成装置１５が設置されている。
コンテンツ作成装置１５は、キー局６が保有する楽曲や画像等をデジタルデータとしてファイル化し、このデジタルデータをコンテンツとしてコンテンツ格納サーバ２８にアップロードすることができる。
また、コンテンツ作成装置１５は、キー局６が保有する楽曲や画像の一部を切り出してデジタルデータとしてファイル化することで、試聴ファイルや試写ファイルを作成することができる。そして、コンテンツ作成装置１５は、作成した試聴ファイルや試写ファイルを試聴・試写サーバ２９へアップロードすることができる。
【００２７】
代理店４内には、ＬＡＮやその他の通信回線で互いに通信可能に接続された、スケジュール作成装置１３と、コマンド作成装置１７と、コマンド送信装置１４とから成る、データ送信システム１８が設置されている。
【００２８】
スケジュール作成装置１３は、試聴・試写サーバ２９またはコンテンツ格納サーバ２８にアップロードされた試聴・試写ファイルまたはコンテンツのリストを参照可能に設けられる。スケジュール作成装置１３は、各コンテンツの再生日時を指定するスケジュールを、操作者によって入力および編集可能に設けられ、そのスケジュールの入力および編集に基づいて、スケジュールファイル１９を作成する。作成されたスケジュールファイル１９は、前記通信回線を介してコマンド作成装置１７に送られる。
【００２９】
コマンド作成装置１７は、ＢＧＭプレーヤ１６に所定の処理を指示する各種のコマンドを、操作者によって、ＢＧＭプレーヤ１６に実行させる順に並べて入力および編集可能に設けられ、そのコマンドの入力および編集に基づいて、コマンドファイル２２を作成する。作成されたコマンドファイル２２は、前記通信回線を介してコマンド送信装置１４に送られる。また、スケジュール作成装置１３から送られてきたスケジュールファイル１９は、ＢＧＭプレーヤ１６にスケジュールを設定させる所定のコマンドと関連付けられて、コマンド送信装置１４に送られる。
【００３０】
コマンド送信装置１４は、コマンド作成装置１７で作成されたコマンドファイル２２を電子メール２７に記述し、その電子メール２７を、インターネット１２に接続された図示しないメールサーバを介して、ＢＧＭプレーヤ１６に送信することができる。
【００３１】
なお、スケジュール作成装置１３、コマンド作成装置１７およびコマンド送信装置１４は、必ずしもそれぞれ別々のコンピュータ上に構築する必要はなく、同一のコンピュータ上に構築してもよい。
【００３２】
店舗２内にはコンテンツを再生可能なＢＧＭプレーヤ１６が設置されている。ＢＧＭプレーヤ１６は、コマンド送信装置１４から送信された電子メール２７に記述されたコマンドに基づいて、所定の処理を実行することができる。
また、電子メール２７にスケジュールファイル１９およびスケジュールファイル１９を設定するコマンドが記述されている場合には、そのスケジュールファイル１９を記憶し、以降、そのスケジュールファイル１９に指定された再生日時に基づいて、各コンテンツを再生することができる。
ＢＧＭプレーヤ１６の構成および詳細な動作については後述する。
【００３３】
ネットワークの一例であるインターネット１２上には、ＢＧＭプレーヤ１６に配信するコンテンツが蓄積されるコンテンツ格納サーバ２８と、試聴ファイルや試写ファイルとが蓄積される試聴・試写サーバ２９と、コマンド送信装置１４からＢＧＭプレーヤ１６に送信する電子メール２７を中継するメールサーバ（図示せず）とが設けられている。メールサーバが設けられていることにより、ＢＧＭプレーヤ１６と、代理店４のコマンド送信装置１４との間は、インターネット１２を使用して電子メール２７を互いにやり取り可能に接続される。
なお、コンテンツ格納サーバ２８と試聴・試写サーバ２９とは、必ずしも別々のコンピュータ上に構築する必要はなく、一つのコンピュータ上に構築してもよい。
【００３４】
次に、図２に基づいて、キー局６内のコンテンツ作成装置１５の構造および動作について説明する。
コンテンツ作成装置１５は、ＣＰＵやメモリ等から構成される制御部３０、ハードディスクドライブ等の記憶手段３２、インターネット１２等の通信ネットワークに接続してデータの送受信を行なう通信部３４、およびモニタ装置３６等を具備する一般的なパーソナルコンピュータで構成することができる。
【００３５】
コンテンツ作成装置１５は、コンテンツファイルおよび試聴・試写ファイルを作成可能なコンテンツファイル作成手段３８と、コンテンツファイル作成手段３８で作成されたコンテンツファイルをコンテンツ格納サーバ２８へアップロードするコンテンツアップロード手段３５と、試聴ファイルまたは試写ファイルを試聴・試写サーバ２９にアップロードする試聴・試写ファイルアップロード手段３３とを具備している。
また、コンテンツ作成装置１５は、楽曲や画像を取り込むための読込手段４２を具備している。読込手段４２としてはＣＤドライブ、ＤＶＤドライブ等がある。
【００３６】
コンテンツファイル作成手段３８は、予めコンテンツ作成装置１５の記憶手段３２内にインストールされている各アプリケーションソフトが作動して制御部３０等を制御することによって実現される。コンテンツアップロード手段３５および試聴・試写ファイルアップロード手段３３は、予めコンテンツ作成装置１５の記憶手段３２内にインストールされたアプリケーションソフトによって制御部３０と通信部３４とが動作することで実現される。
【００３７】
コンテンツファイル作成手段３８の動作について説明する。
コンテンツファイル作成手段３８は、読込手段４２によって読み込んだ楽曲や画像等の各コンテンツを、コンピュータの記憶手段への記憶に適したファイル形式に変換して、コンテンツファイルを作成し、記憶手段３２に一時的に記憶する。また、コンテンツファイルの一部を切り出したり、解像度を落としたりしてサイズを小さくすることによって、試聴ファイルまたは試写ファイルを作成する。
【００３８】
コンテンツファイル作成手段３８によって作成されたコンテンツファイルは、コンテンツアップロード手段３５によってコンテンツ格納サーバ２８へアップロードされる。また、コンテンツファイル作成手段３８によって作成された試聴ファイルや試写ファイルは、試聴・試写ファイルアップロード手段３３によって試聴・試写サーバ２９へアップロードされる。
【００３９】
次に、図３〜図１２に基づいて、代理店４内のデータ送信システム１８を構成する、スケジュール作成装置１３、コマンド作成装置１７およびコマンド送信装置１４の構造と動作について説明する。
スケジュール作成装置１３は、図３に示すように、ＣＰＵやメモリ等から構成される制御部４４、ハードディスクドライブ等の記憶手段４６、インターネット１２等の通信ネットワークに接続してデータの送受信を行なう通信部４８、およびモニタ装置４９等を具備する一般的なパーソナルコンピュータで構成することができる。
【００４０】
スケジュール作成装置１３は、コンテンツ格納サーバ２８にアップロードされたコンテンツをＢＧＭプレーヤ１６に再生させると共に、その各コンテンツの再生日時を指定するスケジュールファイル１９を作成するスケジュールファイル作成手段５０と、スケジュールファイル作成手段５０で作成されたスケジュールファイル１９をコマンド作成装置１７に送信するスケジュールファイル発行手段５１と、試聴・試写サーバ２９にアクセスして試聴ファイルまたは試写ファイルをダウンロードするダウンロード手段５３と、ダウンロードした試聴ファイルまたは試写ファイルを再生する再生手段４５とを具備する。再生手段４５は、ダウンロードした試聴ファイルまたは試写ファイルをＤ／Ａ変換するＤ／Ａ変換回路や増幅回路等から構成される。ダウンロード手段５３と再生手段４５とにより、試聴・試写ファイル再生手段が構成される。
【００４１】
スケジュールファイル作成手段５０は、スケジュール作成装置１３の記憶手段４６内に予めインストールされているアプリケーションソフトが実行されることによって実現される。
また、ダウンロード手段５３は、予めスケジュール作成装置１３の記憶手段４６内にインストールされたアプリケーションソフトによって制御部４４と通信部４８とが動作することで実現される。
また、試聴ファイルまたは試写ファイルを、音声または画像で実際に再生させる機能を有するアプリケーションソフトが記憶手段４６内に予めインストールされており、このアプリケーションソフトによって制御部４４や再生手段４５を制御することによって試聴ファイルまたは試写ファイルがスピーカ５２またはモニタ装置４９を通じて音声または画像として再生される。
【００４２】
スケジュールファイル作成手段５０は、スケジュール作成装置１３の操作者によって、ＢＧＭプレーヤ１６で再生するコンテンツの再生日時を指定するスケジュールを入力および編集可能な、スケジュール入力手段５０ａを備えている。
【００４３】
スケジュール入力手段５０ａは、図４に示す再生パターン編集画面５０ａａと日程編集画面５０ａｂとを、モニタ装置４９に表示させ、これらの画面上で、操作者にスケジュールを入力および編集させることができる。
再生パターン編集画面５０ａａでは、ＢＧＭプレーヤ１６に再生させたいコンテンツと、各コンテンツの再生開始時間および再生終了時間とから成る、一日分の各コンテンツの再生時間（再生パターン）を、操作者が入力および編集することができる。再生パターン編集画面５０ａａには、同時に再生される複数種類（ＢＧＭ，ＣＭ等）のコンテンツを入力および編集可能である。また、操作者は、複数の再生パターンを定義することができる。
日程編集画面５０ａｂでは、操作者によって、日毎（曜日毎または日付毎）に、使用する前記再生パターンを定義する再生日程を、入力および編集することができる。
【００４４】
スケジュールファイル作成手段５０は、スケジュール入力手段５０ａによって操作者が入力および編集した前記再生パターンと前記再生日程とに基づいて、図５に示すような、各コンテンツの識別子およびその再生日時が記述されたスケジュールデータ２０と、そのスケジュールを再生パターン編集画面５０ａａおよび日程編集画面５０ａｂに表示させるためのスケジュール表示用データ２１とから成るスケジュールファイル１９を作成する。
スケジュールファイル１９の具体的なデータ形式の一例を図６に示すが、データ形式はこれに限定されるものではない。
【００４５】
図５および図６に示すように、スケジュールデータ２０は、再生パターン編集画面５０ａａで入力されたコンテンツ名に関連付けられたコンテンツの識別子が記述された使用コンテンツデータ２０ａと、再生パターン編集画面５０ａａで入力された再生パターンに基づいて作成され、一日分の各コンテンツの再生時間を定義する、複数または単数の再生パターンデータ２０ｂと、日程編集画面５０ａｂで入力された日程に基づいて作成され、日毎に、使用する前記再生パターンデータを定義する日程データ２０ｃとから成る。
スケジュール表示用データ２１は、再生パターン編集画面５０ａａで表示される各コンテンツの名前や、パターン名（平日用、休日用など）や、作成者氏名等を含む。また、表示用に使用されるデータ以外にも、各コンテンツの長さやサイズ等のプロパティデータ等を含む。
【００４６】
図３に示すスケジュールファイル発行手段５１は、スケジュールファイル作成手段５０によって作成されたスケジュールファイル１９を、通信部４８を介してコマンド作成装置１７に送信することができる。
【００４７】
なお、スケジュール作成装置１３の操作者は、コンテンツの概要を知りたい場合には、ダウンロード手段５３を用いて試聴・試写サーバ２９から所望の試聴ファイルまたは試写ファイルをダウンロードし、再生手段４５によって再生することで、コンテンツの概要を知ることができる。操作者は、再生された試聴ファイルまたは試写ファイルの内容を検討した結果に基づき、スケジュール入力手段５０ａによって、コンテンツを再生するスケジュールを作成することができる。
【００４８】
次に、コマンド作成装置１７について説明する。
コマンド作成装置１７は、図７に示すように、ＣＰＵやメモリ等から構成される制御部５４、ハードディスクドライブ等の記憶手段５６、インターネット１２等の通信ネットワークに接続してデータの送受信を行なう通信部５８、およびモニタ装置６０等を具備する一般的なパーソナルコンピュータで構成することができる。
【００４９】
コマンド作成装置１７は、ＢＧＭプレーヤ１６に所定の処理を指示するコマンドを記述したコマンドファイル２２を作成するコマンドファイル作成手段６２と、コマンドファイル作成手段６２で作成されたコマンドファイル２２を、コマンド送信装置１４に送信するコマンドファイル発行手段６４とを具備する。
コマンドファイル作成手段６２およびコマンドファイル発行手段６４は、コマンド作成装置１７の記憶手段５６内に予めインストールされているアプリケーションソフトが実行されることによって実現される。
【００５０】
コマンドファイル作成手段６２は、コマンド作成装置１７の操作者によって、ＢＧＭプレーヤ１６に実行させるコマンドを、実行させる順に並べて入力および編集可能な、コマンド入力手段６２ａを備えている。コマンド入力手段６２ａによってモニタ装置６０に表示される、コマンド入力画面６２ａａを、図８に示す。図８の例においては、コマンド入力画面６２ａａに、ＢＧＭプレーヤ１６に、スケジュールを設定するコマンド「スケジュール」や、コンテンツを再生させる「プレイ」や、コンテンツをダウンロードさせる「ロード」等のコマンドが、ＢＧＭプレーヤ１６に実行させる順に並べて入力されている。また、入力された各コマンド名に対して、各コマンドに固有のパラメータを入力することができる。
【００５１】
コマンドファイル作成手段６２は、コマンド入力画面６２ａａに入力および編集されたコマンドに基づいて、図９に示すコマンドファイル２２を作成する。コマンドファイル２２は、ＢＧＭプレーヤ１６に実行させるコマンド列が記述されたコマンドデータ２３と、入力および編集されたコマンドを、コマンド入力画面６２ａａに表示させるのに使用されるコマンド表示用データ２４と、コマンドファイルの全内容をバイト単位で合計して求められ、データ送信時の誤り検出に用いられるＳＵＭデータ２５とを含む。
【００５２】
また、コマンド入力手段６２ａ（コマンド入力画面６２ａａ）において、ＢＧＭプレーヤ１６にスケジュールを設定するコマンド「スケジュール」が入力された場合には、コマンドファイル作成手段６２は、図９に示すように、コマンドファイル２２に、スケジュールファイル１９の内容を組み込む。
【００５３】
スケジュールファイル１９のうち、再生パターンデータ２０ｂと日程データ２０ｃは、そのままコマンドファイル２２内にコピーされて、スケジュールデータ２６となる。
スケジュールファイル１９のうち、使用コンテンツデータ２０ａは、そこに含まれる識別子で示される各コンテンツをＢＧＭプレーヤ１６にダウンロードさせるコマンドに書き換えられて、コマンドデータ２３内に組み込まれる。例えば、ＢＧＭプレーヤにコンテンツをダウンロードするコマンドが“Ｌｏａｄ”文であり、使用コンテンツデータ２０ａに、“￥￥ｓｅｒｖｅｒ￥ｃｏｎｔｅｎｔｓ￥ｎｏｅｍａｌ：￥ｃｏｎｔｅｎｔ１”といったコンテンツの識別子が記述されていたとする。コマンドファイル作成手段６２は、その識別子を、その識別子で示される各コンテンツをＢＧＭプレーヤ１６にダウンロードさせるコマンドに書き換える。即ち、その識別子は、所定のコマンド形式に則って、例えば“Ｌｏａｄ（￥￥ｓｅｒｖｅｒ￥ｃｏｎｔｅｎｔｓ￥ｎｏｅｍａｌ：￥ｃｏｎｔｅｎｔ１）”等と書き換えられて、コマンドデータ２３内に組み込まれる。
一方、スケジュールファイル１９のうち、スケジュール表示用データ２１は、コマンドファイル２２内には組み込まれない。
【００５４】
コマンドファイル２２の具体的なデータ形式の一例を図１０に示す。コマンドデータ２３は、コマンド入力画面６２ａａに入力されたコマンドに基づいて作成され、ＢＧＭプレーヤ１６に実行させるコマンドが記述されたコマンド列である。コマンドデータ２３内の２３ａは、スケジュールファイル１９の使用コンテンツデータ２０ａに含まれる識別子が、その識別子で示される各コンテンツをＢＧＭプレーヤにダウンロードさせるコマンドに書き換えられて記述されたものである。
また、スケジュールファイル１９のスケジュールデータ２０のうち、再生パターンデータ２０ｂと日程データ２０ｃとは、そのままコマンドファイル２２内にコピーされて、再生パターンデータ２６ｂと日程データ２６ｃとなる。
また、コマンド表示用データ２４は、コマンド入力画面６２ａａの画面表示に使用されるデータである。
また、ＳＵＭデータ２５は、ＳＵＭデータ２５を除くコマンドファイルの全内容をバイト単位で合計して求められ、データ送信時の誤り検出に用いられる。
【００５５】
図７に示すコマンドファイル発行手段６４は、コマンドファイル作成手段６２で作成されたコマンドファイル２２を、ＬＡＮ等の通信回線を介してコマンド送信装置１４に送信する。
【００５６】
次に、コマンド送信装置１４の構成について、図１１に基づいて説明する。
コマンド送信装置１４は、ＣＰＵやメモリ等から構成される制御部７２、ハードディスクドライブ等の記憶手段７４、インターネット１２等の通信ネットワークに接続してデータの送受信を行なう通信部７６、およびモニタ装置７７等を具備する一般的なパーソナルコンピュータで構成することができる。
【００５７】
コマンド送信装置１４は、電子メール２７を作成し、コマンド作成装置１７から送信されてきたコマンドファイル２２に記述されたコマンド（コマンド列）を、その電子メール２７に記述するメール作成手段８１と、その電子メール２７をＢＧＭプレーヤ１６に対して送信するメール送信手段７８とを具備する。
メール作成手段８１とメール送信手段７８とにより、コマンド送信手段が構成される。
【００５８】
メール作成手段８１およびメール送信手段７８は、コマンド送信装置１４の記憶手段７４内に予めインストールされているアプリケーションソフトが実行されることによって実現される。メール作成手段８１およびメール送信手段７８としては、電子メール２７の作成や送受信、受信したメールの保存・管理を行うアプリケーションソフトを利用することができる。このようなソフトウェアは、ｗｅｂブラウザに付属しているようなものであってもよいし、単体で動作するものであってもよい。
【００５９】
メール作成手段８１は、コマンド作成装置１７から、コマンドファイル２２が送られてくると、電子メール２７を新規作成し、図１２に示すように、電子メール２７に、コマンドファイル２２をコピーして記述する。また、電子メール２７の本文に、送信日付等、ＢＧＭプレーヤ１６に伝達すべき情報２７ａを記述する。また、電子メール２７の題名を記述する。また、ＳＵＭデータ２７ｂを除く電子メール２７の本文の全内容をバイト単位で合計し、その値をＳＵＭデータ２７ｂとして、電子メール２７の末尾に記述する。ＳＵＭデータ２７ｂは、電子メール２７送受信時の誤り検出に用いられる。
【００６０】
なお、本明細書中において、電子メール、または電子メールの本文に、何らかデータを記述する（またはコピーする）、という表現には、そのデータを電子メールの添付ファイルとして添付させることをも含んでいる。
【００６１】
メール作成手段８１が、電子メール２７の本文に、コマンドファイル２２をコピーする際には、コマンドファイル２２のうち、コマンドデータ２３およびスケジュールデータ２０のみ（スケジュールデータ２０が存在しない場合にはコマンドデータ２３のみ）をコピーし、コマンド表示用データ２４およびＳＵＭデータ２５はコピーしない。
【００６２】
メール送信手段７８は、操作者による所定の操作により、電子メール２７に宛先のＢＧＭプレーヤ１６のアドレスを設定させると共に、電子メール２７を送信させることができる。操作者によってメール送信手段７８による送信を行う操作が行われると、電子メール２７は、前記メールサーバを介して、宛先に設定されたアドレスに対応するＢＧＭプレーヤ１６に送信される。
【００６３】
次に、ＢＧＭプレーヤ１６の内部構成について、図１３に基づいて説明する。
ＢＧＭプレーヤ１６は、プレーヤ全体の動作を制御するために予め設定されたファームウェア等によって動作する制御部８２と、インターネット１２等の通信回線に接続するための通信部８４と、メール受信手段８３（後述）が受信した電子メール２７に記述されたスケジュールデータを記憶するスケジュール記憶手段８６、複数のコンテンツがデジタルデータとして記憶されるコンテンツ記憶手段８８、およびコンテンツ記憶手段８８から取り出したデジタルデータとしてのコンテンツをＤ／Ａ変換するＤ／Ａ変換回路や増幅回路等からなる再生手段８９を具備している。
また、再生手段８９には、コンテンツを音声として再生するスピーカ９０や映像として再生するモニタ装置９１が接続されている。これらスピーカ９０やモニタ装置９１はＢＧＭプレーヤ１６と一体に設けられていてもよいし、別体に設けられていてもよい。
【００６４】
制御部８２には、ファームウェアとして構成される、メール受信手段８３、およびコンテンツ再生制御手段９２が含まれる。
【００６５】
ＢＧＭプレーヤ１６の動作について説明する。
ＢＧＭプレーヤ１６のメール受信手段８３は、通信部８４を介して、メールサーバのメールボックスに届いた電子メール２７を受信し、電子メール２７に記述されたコマンドデータ２７ｃに基づいた処理を実行する。
【００６６】
実行するコマンドが、コンテンツをダウンロードするコマンドである場合には、制御部８２は、そのコマンドのパラメータに記述されたコンテンツ格納サーバ２８にアクセスすると共にパラメータに記述された格納パスをたどり、コンテンツ格納サーバ２８から該当するコンテンツをダウンロードする。
また、実行するコマンドが、スケジュールを設定するコマンドである場合には、制御部８２は、電子メール２７に記述されているスケジュールデータ２７ｄをスケジュール記憶手段８６に記憶させる。
【００６７】
コンテンツ再生制御手段９２は、スケジュール記憶手段８６に記憶されたスケジュールを読み出して実行することにより、コンテンツ記憶手段８８に記憶されているコンテンツを、スケジュールに指定された再生日時に再生するように制御する。
【００６８】
本実施の形態に係るＢＧＭ再生システム１０およびデータ送信システム１８によれば、図９に示すように、スケジュールファイル作成手段５０で作成されたスケジュールファイルのうち、スケジュールデータ２０のみを、コマンドファイル２２に組み込んで記述するため、スケジュール表示用データ２１等の、コマンドファイル作成手段６２やＢＧＭプレーヤ１６が使用しない不要なデータがコマンドファイル２２に組み込まれることがない。従って、コマンドファイル２２を省サイズ化でき、コマンドファイル２２の解析および通信時間を短縮させ、通信コストを低減することができる。
【００６９】
また、図１２に示すように、コマンドファイル作成手段６２で作成されたコマンドファイル２２のうち、コマンドデータ２３およびスケジュールデータ２６のみを、電子メール２７に記述するため、コマンド表示用データ２４等の、ＢＧＭプレーヤ１６が使用しない不要なデータが、電子メール２７に記述されることがない。従って、電子メール２７を省サイズ化でき、電子メール２７に記述されたコマンドやスケジュールの解析および通信時間を短縮させ、通信コストを低減させることができる。
【００７０】
上述してきた実施形態では、ＢＧＭプレーヤ１６のコンテンツの入手は、コンテンツ格納サーバ２８からコンテンツをダウンロードして行なうものであった。
このようにすればトラフィックが混雑せず、ＢＧＭプレーヤ１６の数が増えたとしても、データ送信システム１８からインターネット１２への伝送路の混み合いが緩和できるからである。
しかし、大容量の回線でデータ送信システム１８とＢＧＭプレーヤ１６との間が接続されているのであれば、データ送信システム１８からの電子メール２７にコンテンツを添付してＢＧＭプレーヤ１６に直接配信するようにしてもよい。かかる場合には、電子メール２７にコンテンツの識別子を記述する必要はない。
【００７１】
【発明の効果】
本発明に係るＢＧＭ再生システムおよびデータ送信システムによれば、コマンドファイルおよびＢＧＭプレーヤに送信する電子メールを、省サイズ化することで、スケジュールファイルおよびコマンドファイルの解析時間の短縮、および、通信時間ならびに通信コストの低減をすることができるという効果を奏する。
【図面の簡単な説明】
【図１】本発明に係るＢＧＭ再生システムの全体構成を示す説明図である。
【図２】コンテンツ作成装置の内部構成を示した説明図である。
【図３】スケジュール作成装置の内部構成を示した説明図である。
【図４】スケジュール入力手段が表示させる再生パターン編集画面と日程編集画面とを示す図である。
【図５】スケジュールファイル作成手段が作成するスケジュールファイルの構成を示す説明図である。
【図６】スケジュールファイル作成手段が作成するスケジュールファイルのデータ内容の例を示す図である。
【図７】コマンド作成装置の内部構成を示す説明図である。
【図８】コマンド入力手段が表示させるコマンド入力画面を示す図である。
【図９】スケジュールファイルの内容を、コマンドファイルに組み込む方法を示した説明図である。
【図１０】コマンドファイル作成手段が作成するコマンドファイルのデータ内容の例を示す図である。
【図１１】コマンド送信装置の内部構成を示す説明図である。
【図１２】コマンドファイルの内容を、電子メールに組み込む方法を示した説明図である。
【図１３】本発明に係るＢＧＭプレーヤの内部構成を示す説明図である。
【符号の説明】
２　店舗
４　代理店
６　キー局
１０　再生システム
１２　インターネット
１３　スケジュール作成装置
１４　コマンド送信装置
１５　コンテンツ作成装置
１６　ＢＧＭプレーヤ
１７　コマンド作成装置
１８　データ送信システム
１９　スケジュールファイル
２０　スケジュールデータ
２０ａ　使用コンテンツデータ
２０ｂ　再生パターンデータ
２０ｃ　日程データ
２１　スケジュール表示用データ
２２　コマンドファイル
２３　コマンドデータ
２３ａ　ＢＧＭプレーヤにコンテンツをダウンロードさせるコマンド
２４　コマンド表示用データ
２６　スケジュールデータ
２６ｂ　再生パターンデータ
２６ｃ　日程データ
２７　電子メール
２７ｃ　コマンドデータ
２８　コンテンツ格納サーバ
２９　試聴・試写サーバ
５０　スケジュールファイル作成手段
５０ａ　スケジュール入力手段
５０ａａ　再生パターン編集画面
５０ａｂ　日程編集画面
６２　コマンドファイル作成手段
６２ａ　コマンド入力手段
６２ａａ　コマンド入力画面
７８　メール送信手段
８１　メール作成手段
【図１】
2004145387.tif 000003
【図２】
2004145387.tif 000004
【図３】
2004145387.tif 000005
【図４】
2004145387.tif 000006
【図５】
2004145387.tif 000007
【図６】
2004145387.tif 000008
【図７】
2004145387.tif 000009
【図８】
2004145387.tif 000010
【図９】
2004145387.tif 000011
【図１０】
2004145387.tif 000012
【図１１】
2004145387.tif 000013
【図１２】
2004145387.tif 000014
【図１３】
2004145387.tif 000015